(57)【特許請求の範囲】
【請求項１】
種々の時間特性（time character）を持つ送信機からの異なる送信周波数の受信を行うのに好適な無線制御時計であって、
第１及び第２のキャパシタ並びにアンテナを有するアンテナ共振回路と、
前記第１及び第２のキャパシタに直列あるいは並列に接続されたスイッチとを備え、
前記アンテナ共振回路に接続され、前記アンテナ共振回路に並列に接続される複数の水晶発振子を有する受信機に対して、前記スイッチの切り替えにより異なる送信周波数の通過範囲を持つようにしたことを特徴とする無線制御時計。
【請求項２】
請求項１の無線制御時計において、スイッチが接合ＦＥＴあるいはＭＯＳＦＥＴあるいはトランスミッションゲートを有しているかリレーで構成されたことを特徴とする無線制御時計。
【請求項３】
請求項２の無線制御時計において、電圧変換回路がＦＥＴを十分に駆動するようなゲートソース電圧を発生するために設けられていることを特徴とする無線制御時計。
【請求項４】
請求項３に記載の無線制御時計において、前記電圧変換回路はＦＥＴをスイッチオフするためのバイポーラトランジスタを有していることを特徴とする無線制御時計。
【請求項５】
請求項３または４に記載の無線制御時計において、前記電圧変換回路は集積回路の形態であることを特徴とする無線制御時計。
【請求項６】
請求項２に記載の無線制御時計において、前記リレーはリードリレーであることを特徴とする無線制御時計。
【請求項７】
請求項６に記載の無線制御時計において、前記リードリレーは双安定型であることを特徴とする無線制御時計。
【請求項８】
請求項１ないし７のいずれかに記載の無線制御時計において、前記アンテナ共振回路の前記アンテナは対称的特性を有していることを特徴とする無線制御時計。
【発明の詳細な説明】
【０００１】
【発明の属する技術分野】
本発明は、無線制御時計に関する。
【０００２】
【従来の技術】
このような無線制御時計あるいは電子スイッチ群のスイッチにより独立にオンオフできる複数のスイッチを有する同調可能な共振回路用の回路構成は、ドイツ特許ＤＥ４３３２７９８により知られている。そのような公知の回路構成においては、共振回路はその共振周波数において発振器による平衡位相において励起される。平衡位相においては、周波数比較器は共振回路の発振周波数を共振周波数により決定される参照値と比較し、周波数の相違があるときには、比較される周波数が一致するまで上述したスイッチのスイッチ位置が変更される。検出器が比較される周波数の一致を検出し、スイッチ位置の記憶を達成しながら、発振器をスイッチオフする。
【０００３】
マイクロコントローラは、ユーザ側での介在なしに、それぞれの地理的な受信エリアで受信される周波数に対して自動的に切換えることができる。
【０００４】
アンテナ共振回路を有する無線制御時計は例えば米国特許ＵＳＰ５，３３１，６０８により知られている。
【０００５】
【発明が解決しようとする課題】
本発明の目的は、本願明細書の導入部で述べたような、所与の送信周波数を持つ時間特性送信機の他の送信機（たとえばＭＳＦおよびＷＷＶＢ）からの受信周波数を簡単な構成で受信することのできる無線制御時計を提供することである。
【０００６】
【課題を解決するための手段】
本発明によれば、請求項１の特徴により目的が達成される。本発明にかかる無線制御時計の好ましい実施例は添付の請求範囲により特徴づけられる。
【０００７】
受信機側では、種々の所望周波数用の複数の水晶発振子は、１つ以上の周波数範囲を持ち、フィルタの通過範囲あるいは通過帯範囲が存在するように、通常並列に接続される。アンテナの切換動作は受信周波数を確立する。このことは、一つの受信機のみが必要で、回路が非常に高い抵抗を有するために、受信機の問題に敏感な点において水晶発振子の切換がない、という利点をもたらす。
【０００８】
本発明にかかる無線制御時計の場合には、周波数の切換はアンテナ共振回路のキャパシタについて適当な切換により行われる。この場合、キャパシタの並列回路または直列回路を提供できる。スイッチは接合ＦＥＴ、ＭＯＳＦＥＴ、トランスミッションゲートを用いることができる。しかし、スイッチはリレー、特に小型リードリレーで構成することもできる。このような小型リードリレーにより、信号の干渉に関し、無線制御時計の制御回路とアンテナ回路間の電流分離(Galvanic  separation）を行うことができる。
【０００９】
もしスイッチが接合ＦＥＴまたはＭＯＳＦＥＴまたはトランスミッションゲート回路で構成されるときには、ゲート−ソース間電圧がＦＥＴを駆動する電圧変換回路により発生されることができ、このためにオン抵抗は小さくなる。そのためアンテナ入力は実質的に短絡され、ある送信周波数から他の周波数への切換動作の間、受信は言わばブロックされ、共振回路における立ち上がり(buildup）が防止される。したがって、予定の過渡動作すなわち応答は前述した直列抵抗により定められる。
【００１０】
本発明による無線制御時計の電圧変換回路がＦＥＴを再度スイッチオフするバイポーラトランジスタであることが望ましい。第２のキャパシタはＦＥＴのゲート容量により設けられる。電圧変換回路に設けられるダイオードはショットキーダイオードで構成され得る。本発明にしたがって集積化された電圧変換回路を設計し、それを本発明による無線制御時計に適用することは可能であり好ましい。電圧変換回路は１以上の段を含み得る。
【００１１】
本発明による無線制御時計の場合、アンテナの切換はマイクロコントローラ（μＣ）中のオープンドレインにより実現されることが好ましい。
【００１２】
もし、本発明による無線制御時計において、スイッチがリレーや小型リードリレーにより構成される場合、制御巻線における低い励起電流に適した双安定リードリレーを用いることが好ましい。
【００１３】
【発明の実施の形態】
本発明にかかる無線制御時計の主要部分については、その特徴と利点が添付図面と以下の記載から明らかとなる。
【００１４】
図１は特に無線制御腕時計のような無線制御時計用のアンテナ共振回路１０を示す構成図であって、アンテナ１２および２つの直列接続されたキャパシタ１４、１６を有している。キャパシタ１６はスイッチ１８と共に接続されている。キャパシタ１６はスイッチ１８により回路に切り替えられるか短絡される。
【００１５】
アンテナ共振回路の共振周波数の切換は、干渉やノイズ信号が発生したときにチューニングを変更するために用いられ、アンテナ共振回路１０の共振周波数が受信機の遠方選択の範囲に入るように、または２つの共振周波数間で任意に変更できるように、すなわち、２つの異なる送信機の周波数間、例えば７７．５および６０ｋＨｚの間で変更できるようにしている。
【００１６】
アンテナ共振回路１０はブロックで示されている受信機２０とともに接続される。
【００１７】
図２は図１に示されたのと同様な回路図であり、アンテナ１２、互いに並列接続されたキャパシタ１４、１６を有するアンテナ共振回路１０の第２の構成を示す。スイッチ１８はキャパシタ１６の並列アーム、すなわちキャパシタ１６に直列に接続される。図２の参照番号２０は無線制御時計の受信機を示し、図面上ブロックにより示される。
【００１８】
図３は図２に示されたのと同様な回路図であり、並列接続された２つのキャパシタ１４、１６、ブロックにより示され、受信機２０に共に接続されるアンテナ共振回路１０のアンテナ１２とともに示している。キャパシタ１６と直列に接続スイッチ１８はここでは電圧変換回路２４に接続されたＦＥＴ２２により形成される。電圧変換回路２４はバイポーラトランジスタ２６、ダイオード２８、キャパシタ３０を有している。キャパシタ３２は任意に設けることができる。ダイオード２８はショットキーダイオードの形態をとることができる。
【００１９】
ＦＥＴ２２は例えばＰチャネルＦＥＴである。例えばｐｎｐトランジスタ２６がＦＥＴのゲートに接続される。
【００２０】
キャパシタ１４は例えばフレキシブルアンテナであるアンテナ１２に関連づけられる。キャパシタ１４とアンテナ１２は例えば送信周波数７７．５ｋＨｚに同調される。このことは本発明の無線制御時計がいわゆる標準的なＤＣＦ７７アンテナを含み得ることを示している。これはサービスの観点から有利である。なぜならばそのようなアンテナはサービス部門で容易に交換することができるからである。スイッチ１８に関連した第２のキャパシタ１６は受信機２０のアンテナ共振回路１０を低い周波数、例えば６０ｋＨｚに同調させる。
【００２１】
第２のキャパシタ１６あるいは第１すなわちメインキャパシタ１４はそれ自体公知のキャパシタの組み合わせで形成することもできる。アンテナ１２はアンテナキャパシタ１４がスイッチ１８による切換により変化する対称アンテナの形態であることが望ましい。
【００２２】
この発明は、種々の送信周波数に対して、それぞれの送信周波数のそれぞれに同調された対応する数だけのアンテナを用いる必要がなく、したがってアンテナの部分での相互干渉がない。
【００２３】
以上の回路配置は、電圧変換回路２４により、ＦＥＴ２２を十分に駆動するゲート−ソース完電圧を発生させ、ＯＮ抵抗は低くなる。これは、切換動作の間、受信は阻止されてこれにより立ち上がりは防止され、予定の過渡特性すなわち応答が確立される。
【００２４】
【発明の効果】
本発明によれば、アンテナ共振回路のキャパシタの並列回路あるいは直列回路について適当な切換を行うことにより簡単な構成で周波数の切換を行うことができる。
【００２５】
スイッチを接合ＦＥＴまたはＭＯＳＦＥＴまたはトランスミッションゲート回路で構成したときには、ゲート−ソース間電圧がＦＥＴを駆動する電圧変換回路により発生されることができ、このためにオン抵抗は小さくなってアンテナ入力は実質的に短絡され、ある送信周波数から他の周波数への切換動作の間、受信は言わばブロックされる。
【図面の簡単な説明】
【図１】直列接続キャパシタを有するアンテナ共振回路の第１の回路構成を示す回路図である。
【図２】並列接続キャパシタを有するアンテナ共振回路の第２の回路構成を示す回路図である。
【図３】図２に類似した回路構成を示す回路図である。
【符号の説明】
１０  アンテナ共振回路
１２  アンテナ
１４  キャパシタ
１６  キャパシタ
１８  スイッチ
２０  受信機
２２  ＦＥＴ
２４  電圧変換回路
２６  パイポーラスイッチ
２８  ダイオード
３０  キャパシタ
３２  キャパシタ
【図１】
0003889176.tif 000002
【図２】
0003889176.tif 000003
【図３】
0003889176.tif 000004